(57)【要約】【課題】胴体２を２重筒構造としたファイバードラム１において、内筒２１と外筒２２とを比較的容易に分離可能にするとともに、外筒２２の外周面に識別情報（４）を付加する場合において当該識別情報（４）の位置を変更可能にする。【解決手段】上部が開口した有底筒形の胴体２と、この胴体２の開口に外嵌装着される蓋体３とを含むファイバードラム１であって、胴体２の周壁が、内筒２１の外径側に外筒２２を回転可能に嵌め合わせた２重筒構造とされている。【選択図】図３
2017081575.tif 000002
【特許請求の範囲】
【請求項１】
上部が開口した有底筒形の胴体と、この胴体の開口に外嵌装着される蓋体とを含むファイバードラムであって、
前記胴体の周壁が、内筒の外径側に外筒を回転可能に嵌め合わせた２重筒構造とされている、ことを特徴とするファイバードラム。
【請求項２】
請求項１に記載のファイバードラムにおいて、
前記内筒の外周面において上側には、前記外筒の上向きの変位を規制するための上帯が取り付けられ、
前記内筒の外周面において下側には、前記外筒の下向きの変位を規制するための下帯が取り付けられている、ことを特徴とするファイバードラム。
【請求項３】
請求項１または２に記載のファイバードラムにおいて、
前記外筒は、中心軸線方向で隣り合うように２つ以上設けられている、ことを特徴とするファイバードラム。
【請求項４】
請求項３に記載のファイバードラムにおいて、
前記２つ以上の外筒における各外周面には、当該各外周面に跨る図柄が記載されている、ことを特徴とするファイバードラム。
【請求項５】
請求項２または３に記載のファイバードラムにおいて、
前記外筒の外周面と、前記上帯および前記下帯の少なくともいずれか一方における各外周面とには、当該各外周面に跨る図柄が記載されている、ことを特徴とするファイバードラム。
【請求項６】
請求項１から５のいずれか１項に記載のファイバードラムにおいて、
前記外筒の外周面には、収容物に関係する識別情報が記載されている、ことを特徴とするファイバードラム。
【請求項７】
請求項１から６のいずれか１項に記載のファイバードラムにおいて、
前記蓋体の外面には、クッションシートが設けられている、ことを特徴とするファイバードラム。
【発明の詳細な説明】
【技術分野】
【０００１】
本発明は、胴体を２重筒構造としたファイバードラムに関する。
【背景技術】
【０００２】
例えば特許文献１，２には、胴体を２重筒構造とすることが記載されている。上記特許文献１では、ファイバードラムの耐荷重性を可及的に高めることを目的としている。また、上記特許文献２では、ファイバードラムにアスファルトやにかわを含まないようにすることで、産業廃棄物とせずに、一般ゴミとして焼却できるようにすることを目的としている。
【先行技術文献】
【特許文献】
【０００３】
【特許文献１】特開平７−４０９６２号公報
【特許文献２】実用新案登録第３１１８４２７号公報
【発明の概要】
【発明が解決しようとする課題】
【０００４】
上記特許文献１，２に係る従来例では、内筒に外筒を固定することによって一体化するようになっていることから、内筒に対して外筒を回転させるという技術思想が存在していない。
【０００５】
そのため、ファイバードラムを廃棄する際に内筒と外筒とを分離することが困難になっている。
【０００６】
さらに、例えば前記ファイバードラムの外筒の外周面に、収容物の商品名や商品説明などの識別情報を記載したり、当該識別情報を記載したラベルを貼り付けたり、するような場合には、下記するような不具合が生ずる。
【０００７】
一般的に、ファイバードラムには、表側片面に収容物に関する商品名などの情報、反面裏側に容器に関する製造履歴情報を記す場合が多く、また、４つ以上のファイバードラムをパレットなどに収納する場合、縦横に隣り合うように並べて配置されることが多い。
【０００８】
このような場合、ファイバードラムに記された前記２つの情報の全部を外周面から目視確認することが非常に困難となる。
【０００９】
そこで、仮に、前記４つ以上のファイバードラムの全てあるいは必要とする情報を目視確認する必要が生じた場合、前記必要とする情報が裏側に位置しているファイバードラムを所定角度回転させることにより前記必要とする情報を表側に位置させる必要がある。
【００１０】
ここで、仮に、前記ファイバードラムが大型かつ大重量であるような場合には、当該ファイバードラムを回転させることが困難となる。そのため、前記したように識別情報を目視確認することができなくなる。その他、前記ファイバードラムの大小に関係ないが、特に小型であったとしても、前記４つ並べて配置したファイバードラムの上にパレットを載せてさらに当該パレット上に４つのファイバードラムを並べて配置するように積層している場合には前記同様にファイバードラムを回転させることができなくなる。
【００１１】
さらに、前記とは逆に、ファイバードラムの識別情報を裏側に位置させて意図的に隠したい状況であったとしても、そのようになっていない場合にファイバードラムを回転させる必要があるが、前記同様、そのように回転させることも困難になるので、識別情報を隠すことができなくなる。
【００１２】
このような事情に鑑み、本発明は、胴体を２重筒構造としたファイバードラムにおいて、内筒と外筒とを比較的容易に分離可能にするとともに、外筒の外周面に識別情報を付加する場合において当該識別情報の位置を変更可能にすることを目的としている。
【課題を解決するための手段】
【００１３】
本発明は、上部が開口した有底筒形の胴体と、この胴体の開口に外嵌装着される蓋体とを含むファイバードラムであって、前記胴体の周壁が、内筒の外径側に外筒を回転可能に嵌め合わせた２重筒構造とされている、ことを特徴としている。
【００１４】
この構成によれば、内筒に外筒を固定していないので、内筒と外筒とを分離することが比較的簡単に行えるようになる。これにより、内筒と外筒とを分別して廃棄処理できるようになる。
【００１５】
また、例えば外筒の外周面に例えば収容物に関係する識別情報を記載するような場合において、ファイバードラムを壁際などに配置するときなどに前記識別情報が前記壁側に位置したとしても、当該ファイバードラムの外筒のみを回転させるだけの簡単な作業でもって前記識別情報をファイバードラムの表側に位置させることが可能になる。
【００１６】
これにより、従来例で説明したようなファイバードラムが大型かつ大重量であったとしても、簡単に識別情報の位置を変更することが可能になる。
【００１７】
好ましくは、前記内筒の外周面において上側には、前記外筒の上向きの変位を規制するための上帯が取り付けられ、また、前記内筒の外周面において下側には、前記外筒の下向きの変位を規制するための下帯が取り付けられている、構成とすることができる。
【００１８】
ここでは、外筒が内筒の外周面の中心軸線方向の所定位置に保持されることを明らかにしている。また、前記上帯および前記下帯の設置に伴い内筒が補強されるとともに、胴体の外周面を中心軸線方向に面一に設定することが可能になる。これにより、胴体の耐荷重性を高めることが可能になるとともに、胴体の外観デザインを綺麗にすることが可能になる。
【００１９】
好ましくは、記外筒は、中心軸線方向で隣り合うように２つ以上設けられている、構成とすることができる。この構成の場合には、前記２つ以上の外筒における各外周面に、当該各外周面に跨る図柄を記載することができる。この構成では、各外筒を回転させることで図柄を揃えるパズル遊びをすることが可能になるなど、ファイバードラムとしては容器本来の機能だけでなく、他の利用価値が高められるようになる。
【００２０】
好ましくは、前記外筒の外周面と、前記上帯および前記下帯の少なくともいずれか一方における各外周面とには、当該各外周面に跨る図柄が記載されている、構成とすることができる。
【００２１】
この構成では、外筒を回転させることで図柄を揃えるパズル遊びをすることが可能になるなど、ファイバードラムとしては容器本来の機能だけでなく、他の利用価値が高められるようになる。
【００２２】
特に、前記外筒を２つ以上にしている場合には、外筒の数が多くなるから、すべての外筒の各外周面に跨る図柄を記載すれば、前記図柄を複雑に分割して記載することが可能になる。これにより、外筒を回転させることで図柄を揃えるパズル遊びをする際に、遊びの対象となる児童の年齢を考慮して前記図柄を揃える作業の難易度を適宜変えることが可能になる。
【００２３】
好ましくは、前記外筒の外周面には、収容物に関係する識別情報が記載されている、構成とすることができる。
【００２４】
この構成では、外筒を回転させることにより前記識別情報をファイバードラムの外周面において任意の方位に位置させることが可能になる。
【００２５】
好ましくは、前記蓋体の外面には、クッションシートが設けられている、構成とすることができる。
【００２６】
この構成では、本発明に係るファイバードラムを椅子としても使用することができるなど、ファイバードラムとしては容器本来の機能だけでなく、他の利用価値が高められるようになる。
【発明の効果】
【００２７】
本発明は、胴体を２重筒構造としたファイバードラムにおいて、内筒と外筒とを比較的容易に分離可能にするとともに、外筒の外周面に識別情報を付加する場合において当該識別情報の位置を変更することが可能になる。
【図面の簡単な説明】
【００２８】
【図１】本発明に係るファイバードラムの一実施形態で、その全体の外観を示す斜視図である。
【図２】図１のファイバードラムの蓋体を取り外した状態を示す斜視図である。
【図３】図１のファイバードラムをその中心軸線に沿って断面にした図である。
【図４】図１から図３に示すファイバードラムの優位性を説明するために用いる斜視図である。
【図５】図４を上から見下ろした平面図である。
【図６】本発明に係るファイバードラムの他の実施形態で、その全体の外観を示す斜視図である。
【図７】図６のファイバードラムの蓋体を取り外した状態を示す斜視図である。
【図８】図６のファイバードラムをその中心軸線に沿って断面にした図である。
【図９】図８のリベットを留めるときの様子を説明するための図であって、（ａ）はリベットの楔ピンを押し込む前の状態を示しており、（ｂ）はリベットの楔ピンを押し込んだ状態を示している。
【図１０】図６から図９に示すファイバードラムの優位性を説明するために用いる斜視図であって、図柄を揃えた状態を示している。
【図１１】図１０において上下の外筒を回転させて図柄を不揃いにした状態を示す斜視図である。
【発明を実施するための形態】
【００２９】
以下、本発明を実施するための最良の実施形態について添付図面を参照して詳細に説明する。
【００３０】
図１から図５に、本発明の一実施形態を示している。図中、１はファイバードラムの全体を示している。
【００３１】
ファイバードラム１は、上部が開口した有底筒形の胴体２と、この胴体２の開口に着脱可能に外嵌装着される蓋体３とを含む構成である。
【００３２】
胴体２の周壁は、内筒２１の外径側に外筒２２を回転可能に嵌め合わせた２重筒構造とされている。この胴体２の内筒２１の底側開口には、底板２３が取り付けられており、また、内筒２１の外周面において上側には上帯２４が取り付けられており、さらに内筒２１の外周面において下側には下帯２５が取り付けられている。
【００３３】
上帯２４は、外筒２２の上向きの変位を規制するために設けられており、下帯２５は、外筒２２の下向きの変位を規制するために設けられている。
【００３４】
内筒２１および外筒２２は、多数のシート状原紙を積層接着するとともに円筒形に成形されるロールから所定長さの環状体に切り出すことにより製作されている。
【００３５】
底板２３は、多数のシート状原紙を積層接着して形成されるプレートから、円形に切り出すとともに、その外周を下向きに屈曲してなる垂下壁部２３ａを形成することにより製作されている。
【００３６】
上帯２４および下帯２５は、多数のシート状原紙を積層接着するとともに円筒形に成形されるロールから所定長さの環状体に切り出すことにより製作されている。上帯２４および下帯２５の内径寸法は、共に、内筒２１の外周面にジャストフィット状態あるいは若干の隙間を介するルーズフィット状態となるように設定されている。
【００３７】
そして、内筒２１の中心軸線方向の下側の内径側に底板２３の垂下壁部２３ａを嵌め入れて、当該垂下壁部２３ａのさらに内径側に補強環体２６を嵌め入れ、さらに内筒２１の下端部分の外径側に下帯２５を嵌め合せておいて、これらすべての嵌め合い部分つまり重ね合わせ部分にミシン糸２７を縫い込むことにより、結合する。
【００３８】
また、内筒２１の上側の開口縁には、内向きにカールされたカーリング部２１ａが設けられており、この内筒２１の上側の開口寄りの外径側に上帯２４が嵌め合わされて接着されている。
【００３９】
さらに、外筒２２は、内筒２１の外周面において上帯２４と下帯２５との間の領域に適宜の隙間を介するルーズフィット状態で嵌め合されている。また、外筒２２の中心軸線方向の長さ寸法は、上帯２４から下帯２５までの長さ寸法よりも若干小さく設定されている。これにより、外筒２２が内筒２１に対して回転可能になっている。
【００４０】
蓋体３は、蓋本体３１に天板３２を取り付けた構成である。
【００４１】
蓋本体３１は、多数のシート状原紙を積層接着するとともに円筒形に成形されるロールから、胴体２よりも短い所定長さの環状体を切り出し、その中心軸線方向の一端（上端）を径方向内向きに直角に折り曲げることにより製作されている。
【００４２】
天板３２は、中紙３２ａおよび外紙３２ｂを含む構成であって、蓋本体３１の上側開口に取り付けられている。中紙３２ａおよび外紙３２ｂは、多数のシート状原紙を積層接着して形成されるプレートから、円形に切り出すことにより製作されていて、中紙３２ａと外紙３２ｂとで蓋本体３１の折り曲げ部３１ａを上下から挟むように重ね合わせて接着樹脂で接着することにより、蓋体３が製作される。
【００４３】
ここで、蓋体３の蓋本体３１の下端が胴体２の上帯２４の上端に当接されるように設定されている。その状態では、天板３２の内面が内筒２１の上端のカーリング部２１ａに接触しないように設定されている。
【００４４】
次に、図４および図５を参照して、上記したファイバードラム１の優位性について説明する。
【００４５】
まず、内筒２１に外筒２２を固定していないので、内筒２１と外筒２２とを分離することが比較的簡単に行えるようになる。その際には、内筒２１に接着している上帯２４を剥がすか、あるいはミシン糸２７を切断して下帯２５を外すようにすればよい。
【００４６】
これにより、少なくとも内筒２１と外筒２２とを分別して廃棄処理できるようになる。参考までに、内筒２１と外筒２２とを分別廃棄する必要がある例としては、例えば内筒２１を紙材として外筒２２を金属などとする場合、あるいはその反対の関係とする場合などが挙げられる。
【００４７】
この実施形態では、ファイバードラム１の外筒２２の外周面に、収容物の商品名や商品説明などの識別情報を記載したラベル４を貼り付けているものとする。但し、ファイバードラム１の外周面に識別情報を印刷により記載することも可能であり、記載内容としても前記識別情報の他に製造年月日などとすることも可能である。
【００４８】
ここで、例えば４つのファイバードラム１を縦横に隣り合うように並べて配置する場合、作業者が特別に意識しない限り、当該４つのファイバードラム１の外筒２２の外周面に記載しているラベル４がすべて表側に位置せずに、１つあるいはそれ以上のファイバードラム１に付加しているラベル４が裏側に隠れてしまうことがないとは言い切れない。
【００４９】
仮に、４つのファイバードラム１のすべてのラベル４の識別情報を目視確認する必要が生じた場合、ラベル４が裏側に位置しているファイバードラム１を、所定角度回転させることによりラベル４を表側に位置させる必要がある。
【００５０】
そのような場合には、前記ファイバードラム１の外筒２２を回転させるだけで、前記ラベル４を表側に位置させることができるようになる。
【００５１】
そのため、仮に前記ファイバードラム１が大型かつ大重量であるような場合であったとしても、小さな力で外筒２２のみを回転させればよいので、簡単かつ迅速に作業できるようになる。
【００５２】
その他、図示していないが、前記ファイバードラム１の大小に関係ないが、特に小型であったとしても、前記４つ並べて配置したファイバードラム１の上にパレットを載せてさらに当該パレット上に４つのファイバードラム１を並べて配置するように積層している状況であっても、前記同様に上下のファイバードラム１のすべてを簡単かつ迅速に回転させることができるようになる。
【００５３】
さらに、前記とは逆に、ファイバードラム１のラベル４を裏側に位置させて意図的に隠したい状況であったとしても、そのようになっていない場合にファイバードラム１の外筒２２のみを回転させることが可能であるから、簡単かつ迅速に前記ラベル４を隠すことができるようになる。
【００５４】
なお、本発明は、上記実施形態のみに限定されるものではなく、特許請求の範囲内および当該範囲と均等の範囲内で適宜に変更することが可能である。
【００５５】
（１）上記実施形態において、外筒２２を１つとする例を挙げているが、本発明はこれのみに限定されるものではなく、内筒２１の中心軸線方向に２つ以上の外筒２２を並べて配置することが可能である。
【００５６】
（２）図６から図１１に本発明の他の実施形態を示している。この実施形態において上記実施形態との相違は、中心軸線方向に隣り合うように２つの外筒２２Ａ，２２Ｂを備えていること、蓋体３の上部にクッションシート５を装着していること、上帯２４に取っ手６を取り付けていること、上帯２４を内筒２１にリベット７で留めることによって非回転に取り付けるようにしていることである。
【００５７】
この実施形態では、蓋体３の蓋本体３１は、多数のシート状原紙を積層接着するとともに円筒形に成形されるロールから所定長さの環状体に切り出すことにより製作されている。蓋体３の天板３２は、多数のシート状原紙を積層接着して形成されるプレートから、円形に切り出すとともに、その外周を下向きに屈曲してなる垂下壁部３２ｃを形成することにより製作されている。
【００５８】
そして、蓋本体３１の中心軸線方向の内径側にクッションシート５の外周をあてがうとともに、天板３２の垂下壁部３２ｃを嵌め入れておいて、これらすべての嵌め合い部分つまり重ね合わせ部分にミシン糸３３を縫い込むことにより、結合する。
【００５９】
また、この実施形態では、上帯２４に対する取っ手６の取り付けと、内筒２１に対する上帯２４の取り付けとをリベット７で行うようにしている。
【００６０】
但し、前記２つの取り付けを別々の方法で行うことも可能であるが、前記のようにリベット７で同時に行うようにしている場合には、部品点数の削減ならびに製造工程の削減に貢献できるなど、製造コストを低減するうえで有利となる。また、取っ手６は、帯状の織布とされているが、一般に知られている取っ手で採用されている素材に変更することが可能である。
【００６１】
前記リベット７は、この実施形態においてプッシュタイプのリベットにしているが、公知のかしめタイプのリベットとすることが可能である。
【００６２】
このプッシュタイプのリベット７の場合には、リベット本体７ａの中心に楔ピン７ｂを嵌め入れた構成になっていて、例えば図９（ａ）に示すように、楔ピン７ｂをリベット本体７ａに深く押し込んでいない状態（浅く押し込んだ状態）で内筒２１と上帯２４との重ね合わせ部分に貫通させるようにセットしておき、図９（ｂ）に示すように、楔ピン７ｂを深く押し込んでリベット本体７ａの傘部７ｃを拡径させることによって内筒２１に上帯２４を固定するようになっている。
【００６３】
このような構成において、上下の外筒２２Ａ，２２Ｂは共に回転可能とされており、図１０および図１１に示しているように、上下の外筒２２Ａ，２２Ｂと上帯２４と下帯２５とのすべての外周面に跨るように、適宜の図柄８（例えば人気漫画のキャラクターあるいは動物など）が記載されている。
【００６４】
この場合、ファイバードラム１についてはその内部にお菓子などの収容物を収容して販売する容器として使用することができるだけでなく、中のお菓子を出した後は、玩具などを入れる玩具ケースとして使用することができるとともに、外筒２２Ａ，２２Ｂを回転させることで図柄８を揃えるパズル遊びをすることができる他、椅子としても使用することができる。
【００６５】
このように、この実施形態のファイバードラム１は、容器本来の機能だけでなく、他の利用価値が高められている。
【００６６】
（３）上記実施形態において、内筒２１の内周面および外周面、外筒２２の内周面および外周面、底板２３の内面および外面、上帯２４および下帯２５の各外周面、蓋本体３１の内周面および外周面、中紙３２ａの内面、外紙３２ｂの外面などに防水加工を施すことも可能である。
【００６７】
この防水加工としては、防水シート例えばラミネートフィルムを貼着する形態とすることができる。このラミネートフィルムは、例えば低密度ポリエチレンフィルムに任意のフィルムを積層して形成される。前記任意のフィルムとは、前記ラミネートフィルムの強度を増加させるものであればよく、例えば、ポリエチレン−酢酸ビニル共重合体フィルムなどを挙げることができる。このようなラミネートフィルムでは、前記低密度ポリエチレンフィルムを貼着対象側に貼着することが好ましい。
【００６８】
その他、前記防水加工としては、加工対象面に耐水性塗料あるいは樹脂を塗布して耐水性を向上させる形態とすることも可能である。なお、前記樹脂は、例えばシート状原紙を積層接着するときに用いる樹脂と同じ材料、例えば酢酸ビニル系エマルジョン樹脂、流動性を有する状態で後々固化するような性状の天然樹脂または合成樹脂などとすることが可能である。
【００６９】
（４）上記実施形態では、胴体２および蓋体３を紙材で形成する例を挙げているが、本発明はこれのみに限定されるものではない。
【００７０】
例えば図示していないが、ファイバードラム１をいわゆる「ロックリングタイプ」、つまり胴体２における内筒２１の底側や開口縁に金属材料などの補強部材を付設して、蓋体３を金属材料などで形成するように構成することが可能である。また、胴体２における内筒２１および外筒２２の少なくともいずれか一方を適宜の金属あるいは合成樹脂などで形成することが可能である。
【産業上の利用可能性】
【００７１】
本発明は、胴体を２重筒構造にしたファイバードラムに好適に利用することが可能である。
【符号の説明】
【００７２】
１  ファイバードラム
２  胴体
２１  内筒
２２  外筒
２３  底板
２３ａ  垂下壁部
２４  上帯
２５  下帯
２６  補強環体
２７  ミシン糸
３  蓋体
４  ラベル
【図１】
2017081575.tif 000003
【図２】
2017081575.tif 000004
【図３】
2017081575.tif 000005
【図４】
2017081575.tif 000006
【図５】
2017081575.tif 000007
【図６】
2017081575.tif 000008
【図７】
2017081575.tif 000009
【図８】
2017081575.tif 000010
【図９】
2017081575.tif 000011
【図１０】
2017081575.tif 000012
【図１１】
2017081575.tif 000013
【手続補正書】
【提出日】平成28年12月28日(2016.12.28)
【手続補正１】
【補正対象書類名】特許請求の範囲
【補正対象項目名】全文
【補正方法】変更
【補正の内容】
【特許請求の範囲】
【請求項１】
上部が開口した有底筒形の胴体と、この胴体の前記開口に外嵌装着される蓋体とを含むファイバードラムであって、
前記胴体の周壁が、内筒の外径側に外筒を回転可能に嵌め合わせた２重筒構造とされており、
前記内筒の外周面において上側には、前記外筒の上向きの変位を規制するための上帯が取り付けられ、
前記内筒の外周面において下側には、前記外筒の下向きの変位を規制するための下帯が取り付けられており、
前記蓋体は、前記内筒の上部外周面に外嵌されるとともに前記上帯の上端に当接されるように装着される環状体からなる蓋本体と、この蓋本体の上部開口に取り付けられる天板と、前記天板上部に当該天板を覆うように装着されるクッションシートとを備え、
前記上帯の外周の２ヶ所には、取っ手がリベット留めされており、このリベットは、前記取っ手の外径側から前記上帯を経て前記内筒の内周面に突き出るように差し込まれることによって留められている、ことを特徴とするファイバードラム。
【請求項２】
請求項１に記載のファイバードラムにおいて、
前記外筒は、中心軸線方向で隣り合うように２つ以上設けられている、ことを特徴とするファイバードラム。
【請求項３】
請求項２に記載のファイバードラムにおいて、
前記２つ以上の外筒における各外周面には、当該各外周面に跨る図柄が記載されている、ことを特徴とするファイバードラム。
【請求項４】
請求項１から３のいずれか１項に記載のファイバードラムにおいて、
前記外筒の外周面と、前記上帯および前記下帯の少なくともいずれか一方における各外周面とには、当該各外周面に跨る図柄が記載されている、ことを特徴とするファイバードラム。
【請求項５】
請求項１から４のいずれか１項に記載のファイバードラムにおいて、
前記外筒の外周面には、収容物に関係する識別情報が記載されている、ことを特徴とするファイバードラム。
【手続補正２】
【補正対象書類名】明細書
【補正対象項目名】００１３
【補正方法】変更
【補正の内容】
【００１３】
本発明は、上部が開口した有底筒形の胴体と、この胴体の前記開口に外嵌装着される蓋体とを含むファイバードラムであって、前記胴体の周壁が、内筒の外径側に外筒を回転可能に嵌め合わせた２重筒構造とされており、前記内筒の外周面において上側には、前記外筒の上向きの変位を規制するための上帯が取り付けられ、前記内筒の外周面において下側には、前記外筒の下向きの変位を規制するための下帯が取り付けられており、前記蓋体は、前記内筒の上部外周面に外嵌されるとともに前記上帯の上端に当接されるように装着される環状体からなる蓋本体と、この蓋本体の上部開口に取り付けられる天板と、前記天板上部に当該天板を覆うように装着されるクッションシートとを備え、前記上帯の外周の２ヶ所には、取っ手がリベット留めされており、このリベットは、前記取っ手の外径側から前記上帯を経て前記内筒の内周面に突き出るように差し込まれることによって留められている、ことを特徴としている。
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】変更
【補正の内容】
【００１８】
さらに、前記上帯および前記下帯の設置に伴い内筒が補強されるとともに、胴体の外周面を中心軸線方向に面一に設定することが可能になる。これにより、胴体の耐荷重性を高めることが可能になるとともに、胴体の外観デザインを綺麗にすることが可能になる。また、前記蓋体の外面にクッションシートを設けているから、本発明に係るファイバードラムを椅子としても使用することができるなど、ファイバードラムとしては容器本来の機能だけでなく、他の利用価値が高められるようになる。
【手続補正５】
【補正対象書類名】明細書
【補正対象項目名】００２５
【補正方法】削除
【補正の内容】
【手続補正６】
【補正対象書類名】明細書
【補正対象項目名】００２６
【補正方法】削除
【補正の内容】